(57)【要約】【課題】外気処理換気装置において、ドレンパン（１３１）の近傍が負圧条件下にある場合にも、排水口から機内への空気の漏れ込みを防ぐことができるドレン水排出構造（１３０）を提供し、外気処理換気装置の信頼性と性能の向上を図る。【解決手段】外気処理装置のドレン水排出構造（１３０）において、ドレン水排出管（１３６）に、機外から機内への流体の流れを禁止するための逆止弁（１３８）を設ける。【選択図】  図７
2005003291.tif 000002
【特許請求の範囲】
【請求項１】
吸着素子と冷媒回路とを有する外気処理換気装置で発生したドレン水を回収するためのドレンパン（１３１）と、
上記ドレンパン（１３１）に回収されたドレン水を排出するドレン水排出管（１３６）とを備え、
上記ドレンパン（１３１）が機外よりも低圧になる空間に配置された外気処理換気装置のドレン水排出構造であって、
上記ドレン水排出管（１３６）には、機外から機内へ向かう流体の流れを禁止するための逆止弁（１３８）が設けられていることを特徴とする外気処理換気装置のドレン水排出構造。
【請求項２】
室外空気と室内空気とを熱交換する空気熱交換器（１２７）と、加湿器（１２８）とを有する外気処理換気装置で発生したドレン水を回収するためのドレンパン（１３１）と、
上記ドレンパン（１３１）に回収されたドレン水を排出するドレン水排出管（１３６）とを備え、
上記ドレンパン（１３１）が機外よりも低圧になる空間に配置された外気処理換気装置のドレン水排出構造であって、
上記ドレン水排出管（１３６）には、機外から機内へ向かう流体の流れを禁止するための逆止弁（１３８）が設けられていることを特徴とする外気処理換気装置のドレン水排出構造。
【請求項３】
請求項１又は２に記載の外気処理換気装置のドレン水排出構造において、
逆止弁（１３８）は、ドレン水排出管（１３６）の機内側配管（１３６ａ）に設けられていることを特徴とする外気処理換気装置のドレン水排出構造。
【請求項４】
請求項１又は２に記載の外気処理換気装置のドレン水排出構造において、
逆止弁（１３８）は、ドレン水排出管（１３６）の機外側配管（１３６ｂ）に設けられていることを特徴とする外気処理換気装置のドレン水排出構造。
【請求項５】
請求項３又は４に記載の外気処理換気装置のドレン水排出構造において、
ドレン水排出管（１３６）は、鉛直方向へ延びる縦管（１３６ｃ）を有し、
上記縦管（１３６ｃ）に逆止弁（１３８）が設けられていることを特徴とする外気処理換気装置のドレン水排出構造。
【請求項６】
請求項３〜５のいずれか１に記載の外気処理換気装置のドレン水排出構造において、
ドレン水排出管（１３６）には、ドレン水の流れに対して逆止弁（１３８）より下流側に位置する下流配管に、スライム発生抑制手段が設けられていることを特徴とする外気処理換気装置のドレン水排出構造。
【請求項７】
請求項６に記載の外気処理換気装置のドレン水排出構造において、
スライム発生抑制手段は、下流配管を銅管（１３９）にすることにより構成されていることを特徴とする外気処理換気装置のドレン水排出構造。
【請求項８】
請求項６に記載の外気処理換気装置のドレン水排出構造において、
スライム発生抑制手段は、下流配管に挿入された銅管（１３９）により構成されていることを特徴とする外気処理換気装置のドレン水排出構造。
【請求項９】
請求項８に記載の外気処理換気装置のドレン水排出構造において、
下流配管に挿入された銅管（１３９）は、異形管（１４１）で構成されていることを特徴とする外気処理換気装置のドレン水排出構造。
【発明の詳細な説明】
【０００１】
【発明の属する技術分野】
本発明は、外気処理換気装置のドレン水排出構造に係るものである。
【０００２】
【従来の技術】
従来より、室外空気を処理して室内空間へ供給し、室外空間へ室内空気の一部を排出する外気処理換気装置として、除湿剤（デシカント）の水分吸着作用を利用して空調を行うデシカント外気処理換気装置がある。
【０００３】
例えば、デシカント外気処理換気装置は、空気中の水分を吸脱着可能な吸着素子と、空気を冷却するための冷媒回路と、外気を吸引して室内へ供給するための給気ファンと、室内空気を吸引して室外へ排出するための排気ファンとを備えている。この構成において、例えば、夏期に室内の空調を行う場合には、室外より給気ファンで吸引された室外空気は、吸着素子と冷媒回路の蒸発器とを経て、減湿及び冷却された後に、室内へ供給される（特許文献１参照）。
【０００４】
また、上記の従来技術以外に、外気処理換気装置には、室内空気と室外空気を熱交換する全熱交換機や顕熱交換器などの空気熱交換器と、加湿器とを設け、室内を加湿できるようにする構成も考えられる。これらの外気処理換気装置において、蒸発器や上記加湿器の近傍ではドレン水が発生する可能性がある。このため、これらの外気処理換気装置には、ドレン水を回収するためのドレンパンと、回収されたドレン水を機外へ排出するためのドレン水排出管とを設置する必要がある。
【０００５】
【特許文献１】
特開２００３−２８４５８号公報
【０００６】
【発明が解決しようとする課題】
このような外気処理換気装置において、蒸発器や加湿器は、ドレンパンとともに室内への空気吹出口近くに設けられている。また、前述したドレン水排出構造においては、外気処理換気装置の内部空間と機外の空間とがドレン水排出管を介して、連通した状態となっている。このような構造において、給気ファンが室内への空気吹出口の近傍に配置されていると、上記蒸発器や加湿器付近に設けられたドレンパンが機外よりも低圧（負圧）となりやすく、その結果、ドレン水排出管より空気が逆流して、機内に混入してしまう可能性がある。
【０００７】
このような理由で、機内に空気が漏れ込むと、本来の外気処理換気装置の被処理空気とは異なる性状の空気が機内に混入することになるから、外気処理換気装置の所定の性能が損なわれてしまう可能性がある。
【０００８】
本発明は、かかる点に鑑みてなされたものであり、その目的とするところは、外気処理換気装置において、ドレンパンの近傍が負圧条件下にある場合にも、ドレン水排出管から機内への空気の漏れ込みを防ぐことができるドレン水排出構造を提供し、外気処理換気装置の信頼性と性能の向上を図ることである。
【０００９】
【課題を解決するための手段】
本発明は、外気処理換気装置のドレン水排出構造（１３０）において、ドレンパン（１３１）近傍が負圧条件下であった場合にも、ドレン水排出管（１３６）より空気が漏れ込むことを防ぐために、上記ドレン水排出管（１３６）に逆止弁（１３８）を設けるようにしたものである。
【００１０】
具体的に、請求項１に記載の発明は、吸着素子と冷媒回路とを有する外気処理換気装置で発生したドレン水を回収するためのドレンパン（１３１）と、上記ドレンパン（１３１）に回収されたドレン水を排出するドレン水排出管（１３６）とを備え、上記ドレンパン（１３１）が機外よりも低圧になる空間に配置された外気処理換気装置のドレン水排出構造を前提としている。
【００１１】
そして、この外気処理換気装置のドレン水排出構造には、上記ドレン水排出管（１３６）に、機外から機内へ向かう流体の流れを禁止するための逆止弁（１３８）が設けられていることを特徴とするものである。
【００１２】
この請求項１に記載の発明では、吸着素子と冷媒回路とを有する外気処理換気装置に設けられたドレンパン（１３１）のドレン水を排出していない際に、上記ドレンパン（１３１）近傍が負圧条件下であっても、ドレン水排出管（１３６）の逆止弁（１３８）により、空気が機外から機内へ漏れ込むことが禁止される。したがって、外気処理換気装置内に空気が混入することを防ぐことができる。
【００１３】
請求項２に記載の発明は、室外空気と室内空気とを熱交換する空気熱交換器（１２７）と、加湿器（１２８）とを有する外気処理換気装置で発生したドレン水を回収するためのドレンパン（１３１）と、上記ドレンパン（１３１）に回収されたドレン水を排出するドレン水排出管（１３６）とを備え、上記ドレンパン（１３１）が機外よりも低圧になる空間に配置された外気処理換気装置のドレン水排出構造を前提としている。
【００１４】
そして、この外気処理換気装置のドレン水排出構造には、上記ドレン水排出管（１３６）に、機外から機内へ向かう流体の流れを禁止するための逆止弁（１３８）が設けられていることを特徴とするものである。
【００１５】
この請求項２に記載の発明では、空気熱交換器（１２７）と加湿器（１２８）とを有する外気処理換気装置に設けられたドレンパン（１３１）近傍が負圧条件下であっても、逆止弁（１３８）により、空気が機外から機内へ漏れ込むことが禁止される。よって、外気処理換気装置内に空気が混入することを防ぐことができる。
【００１６】
請求項３に記載の発明は、請求項１又は２に記載の外気処理換気装置のドレン水排出構造において、逆止弁（１３８）が、ドレン水排出管（１３６）の機内側配管（１３６ａ）に設けられていることを特徴とするものである。
【００１７】
この請求項３に記載の発明では、ドレン水排出管（１３６）の機内側配管（１３６ａ）に、逆止弁（１３８）が設けられている。この構造により、逆止弁（１３８）を機内に配置することができるから、上記ドレン水排出構造を外気処理換気装置内にコンパクトに収装することができる。
【００１８】
請求項４に記載の発明は、請求項１又は２に記載の外気処理換気装置のドレン水排出構造において、逆止弁（１３８）が、ドレン水排水管（１３６）の機外側配管（１３６ｂ）に設けられていることを特徴とするものである。
【００１９】
この請求項４に記載の発明では、逆止弁（１３８）は外気処理換気装置の外側に取り付けられることになり、逆止弁（１３８）のメンテナンスが容易になる。
【００２０】
請求項５に記載の発明は、請求項３又は４に記載の外気処理換気装置のドレン水排出構造において、ドレン水排出管（１３６）が鉛直方向へ延びる縦管（１３６ｃ）を有し、上記縦管（１３６ｃ）に逆止弁（１３８）が設けられていることを特徴とするものである。
【００２１】
この請求項５に記載の発明では、縦管（１３６ｃ）に逆止弁（１３８）が設けられ、ドレン水の鉛直方向の排出流れに対して、逆流が禁止されるように構成されている。一方、例えば、この逆止弁（１３８）が水平方向に延びる横管に取り付けられた場合には、上記逆止弁（１３８）の弁体が弁座に対してわずかにずれる可能性がある。この場合、逆止弁（１３８）内に隙間が生じ、逆止弁（１３８）の所定の逆流防止効果が得られないことがある。また、順流の流れに対してゴム状の弁体が開き、逆流の流れに対してこの弁体が閉じるような逆止弁（１３８）の場合、水平方向に流れるドレン水の自重により、ゴム状の弁体がたわみ、逆止弁（１３８）内に隙間が生じる可能性もある。本発明においては、逆止弁（１３８）が鉛直方向の流れに対して作用するため、このような隙間が生じることがなく、所定の逆流防止効果を得ることができる。したがって、機外から機内への空気の漏れ込みを、より確実に防ぐことができる。
【００２２】
請求項６に記載の発明は、請求項３〜５のいずれか１に記載の外気処理換気装置のドレン水排出構造において、ドレン水排出管（１３６）には、ドレン水の流れに対して逆止弁（１３８）より下流側に位置する下流配管にスライム発生抑制手段が設けられていることを特徴とするものである。
【００２３】
この請求項６に記載の発明では、ドレン水が定期的に排出された後に、ドレン水が残留してしまう可能性がある上記下流配管に、スライム発生抑制手段を設けている。
【００２４】
上記スライムは、特に配管内にドレン水が残留した場合に、菌類や藻類が繁殖することによって生じるものであり、このスライムの生成により、配管の詰まりや、腐敗臭の発生を招くおそれがある。
【００２５】
上記構成により、ドレン水が残留する可能性のある下流配管において、スライム発生抑制手段を設けたので、上記スライムの発生を効果的に防ぐことができる。
【００２６】
請求項７に記載の発明は、請求項６に記載の外気処理換気装置のドレン水排出構造において、スライム発生抑制手段が、下流配管を銅管（１３９）にすることにより構成されていることを特徴とするものである。
【００２７】
この請求項７に記載の発明では、上記スライム発生抑制手段として、下流配管を銅管（１３９）で構成しているため、ドレン水が下流配管に接触することで、この銅管（１３９）内付近で銅イオンが析出する。この銅イオンは一般的に殺菌作用を有しているから、ドレン水中に析出された銅イオンは、スライムの発生源である菌類や藻類の増殖を抑制することができる。したがって、スライムの発生を効果的に防ぐことができる。
【００２８】
請求項８に記載の発明は、請求項６に記載の外気処理換気装置のドレン水排出構造において、スライム発生抑制手段が、下流配管に挿入された銅管（１３９）により構成されていることを特徴とするものである。
【００２９】
この請求項８に記載の発明では、銅管（１３９）を下流配管内に挿入して、スライムの発生を抑制している。この構成において、下流配管内に銅管（１３９）を挿入することで、下流配管に、スライム発生抑制効果を容易に付与することができる。また、ドレン水が上記銅管（１３９）の管内と管外の双方を流れるように、上記下流配管に銅管（１３９）を挿入し配置することで、ドレン水と銅管（１３９）の接触する表面積が大きくなり、銅イオンの析出量を多くすることができる。したがって、上記スライムの発生をより確実に防ぐことができる。
【００３０】
請求項９に記載の発明は、請求項８に記載の外気処理換気装置のドレン水排出構造において、下流配管に挿入された銅管（１３９）は、異形管（１４１）で構成されていることを特徴とするものである。ここで、異形管（１４）とは、例えば銅管（１３９）にスリットや溝を加工したもの、あるいは銅管（１３９）を花形状ないし星形状に加工したものなどを示し、このような加工により、銅管（１３９）の表面積が大きくなる。
【００３１】
この請求項９に記載の発明は、上記銅管（１３９）を上記異形管（１４１）としたから、ドレン水と銅管（１３９）とが接触する表面積はさらに大きくなり、銅イオンの析出量も増加する。このため、スライムの発生をさらに確実に防ぐことができる。
【００３２】
【発明の実施の形態１】
以下、本発明の実施形態１を図面に基づいて詳細に説明する。
【００３３】
本実施形態に係る外気処理換気装置は、減湿された空気を室内へ供給する除湿運転と、加湿された空気を室内へ供給する加湿運転とを切り換えて行うように構成されている。また、この外気処理換気装置は、２つの吸着素子（８１，８２）と、冷媒回路とを備え、バッチ式（回分式）の動作を行うように構成されている。ここでは、本実施形態に係る外気処理換気装置の構成について、図１、図５、図６を参照しながら説明する。尚、本実施形態１の説明において、「上」「下」「左」「右」「前」「後」「手前」「奥」は、特にことわらない限り、図１に示す外気処理換気装置を正面側から見た場合の方向性を意味している。
【００３４】
図１に示すように、上記外気処理換気装置は、やや扁平な直方体状のケーシング（１０）を備えている。このケーシング（１０）には、２つの吸着素子（８１，８２）と冷媒回路とが収納されている。
【００３５】
冷媒回路には、再生熱交換器（１０２）、第１熱交換器（１０３）、第２熱交換器（１０４）、圧縮機（１０１）、及び膨張弁が設けられている。この冷媒回路では、充填された冷媒を循環させることによって冷凍サイクルが行われる。また、冷媒回路は、第１熱交換器（１０３）が蒸発器となる運転と、第２熱交換器（１０４）が蒸発器となる運転とを切り換え可能に構成されている。
【００３６】
図６に示すように、上記吸着素子（８１，８２）は、平板状の平板部材（８３）と波形状の波板部材（８４）とが交互に積層して構成されている。波板部材（８４）は、隣接する波板部材（８４）の稜線方向が互いに９０°ずれる姿勢で積層されている。そして、吸着素子（８１，８２）は、全体として直方体状ないし四角柱状に形成されている。
【００３７】
上記吸着素子（８１，８２）には、平板部材（８３）及び波板部材（８４）の積層方向において、調湿側通路（８５）と冷却側通路（８６）とが平板部材（８３）を挟んで交互に区画形成されている。この吸着素子（８１，８２）において、平板部材（８３）の長辺側の側面に調湿側通路（８５）が開口し、平板部材（８３）の短辺側の側面に冷却側通路（８６）が開口している。
【００３８】
上記吸着素子（８１，８２）において、調湿側通路（８５）に臨む平板部材（８３）の表面や、調湿側通路（８５）に設けられた波板部材（８４）の表面には、水蒸気を吸着するための吸着材が塗布されている。この種の吸着材としては、例えばシリカゲル、ゼオライト、イオン交換樹脂等が挙げられる。
【００３９】
図１に示すように、上記ケーシング（１０）において、最も手前側には第１パネル（１１）が設けられ、最も奥側には第２パネル（１２）が設けられている。第１パネル（１１）には、その左端寄りの下部に給気口（１４）が形成され、その右端寄りの下部に排気口（１６）が形成されている。一方、第２パネル（１２）には、その左端寄りの下部に室内側吸引口（１３）が形成され、その右端寄りの下部に室外側吸引口（１５）が形成されている。
【００４０】
ケーシング（１０）の内部は、手前側の第１パネル（１１）から奥側の第２パネル（１２）に向かう方向において、大別すると２つの空間に仕切られている。
【００４１】
ケーシング（１０）の第１パネル（１１）寄りに形成された空間は、さらに仕切板（１８）により左右の空間に仕切られている。この左右の空間のうち、右側の空間は排気側流路（４１）を構成し、左側の空間は給気側流路（４２）を構成している。
【００４２】
上記排気側流路（４１）は、排気口（１６）を介して室外に連通している。この排気側流路（４１）には、排気ファン（９６）、第２熱交換器（１０４）、及び圧縮機（１０１）が設置されている。上記第２熱交換器（１０４）は、排気ファン（９６）へ向かって流れる空気を冷媒回路の冷媒と熱交換させる。また、上記圧縮機（１０１）は、上記冷媒回路の圧縮行程に用いられている。
【００４３】
一方、給気側流路（４２）は、給気口（１４）を介して室内に連通している。この給気側流路（４２）には、給気ファン（９５）と第１熱交換器（１０３）とが設置されている。第１熱交換器（１０３）は、給気ファン（９５）へ向かって流れる空気を冷媒回路の冷媒と熱交換させる。また、上記第１，２熱交換器（１０３，１０４）の近傍下側には、後述するドレン水排出構造（１３０）のドレンパン（１３１）が、上記排気側流路（４１）と上記給気側流路（４２）の双方に跨って設置されている。
【００４４】
ケーシング（１０）の第２パネル（１２）寄りに形成された空間は、右側仕切板（２０）と、左側仕切板（３０）とによって左右に３つの空間に仕切られている。
【００４５】
右側仕切板（２０）の右側の空間は、鉛直上下方向に、２つの空間に仕切られている。そして、この空間は、上側の空間が右上部流路（６５）を構成し、下側の空間が右下部流路（６６）を構成している。右上部流路（６５）は、排気側流路（４１）と連通している一方、室外側吸引口（１５）とは仕切られている。また、右下部流路（６６）は、室外側吸引口（１５）と連通している一方、排気側流路（４１）とは仕切られている。
【００４６】
左側仕切板（３０）の左側の空間は、鉛直上下方向に、２つの空間に仕切られている。そして、この空間は、上下の空間が左上部流路（６７）を構成し、下側の空間が左下部流路（６８）を構成している。左上部流路（６７）は、給気側流路（４２）と連通している一方、室内側吸引口（１３）とは仕切られている。また、左下部流路（６８）は、室内側吸引口（１３）と連通している一方、給気側流路（４２）とは仕切られている。
【００４７】
右側仕切板（２０）と左側仕切板（３０）の間には、２つの吸着素子（８１，８２）が設置されている。これら吸着素子（８１，８２）は、所定の間隔をおいて前後に並んだ状態に配置されている。具体的には、手前側の第１パネル（１１）寄りに第１吸着素子（８１）が設けられ、奥側の第２パネル（１２）寄りに第２吸着素子（８２）が設けられている。
【００４８】
第１，第２吸着素子（８１，８２）は、それぞれにおける平板部材（８３）及び波板部材（８４）の積層方向がケーシング（１０）の左右方向と一致する姿勢で設置されている。この姿勢の各吸着素子（８１，８２）では、その上下の側面に調湿側通路（８５）が開口し、その前後の側面に冷却側通路（８６）が開口する一方、その左右の側面にはいずれの通路（８５，８６）も開口していない。
【００４９】
右側仕切板（２０）と左側仕切板（３０）との間の空間は、第１流路（５１）、第２流路（５２）、第１上部流路（５３）、第１下部流路（５４）、第２上部流路（５５）、第２下部流路（５６）、及び中央流路（５７）に区画されている。
【００５０】
また、図５に示すように、第１流路（５１）は、第１吸着素子（８１）の手前側（図５においては右側）に形成され、第１吸着素子（８１）の冷却側通路（８６）に連通している。第２流路（５２）は、第２吸着素子（８２）の奥側（図５においては左側）に形成され、第２吸着素子（８２）の冷却側通路（８６）に連通している。
【００５１】
第１上部通路（５３）は、第１吸着素子（８１）の上側に形成され、第１吸着素子（８１）の調湿側通路（８５）に連通している。第１下部流路（５４）は、第１吸着素子（８１）の下側に形成され、第１吸着素子（８１）の調湿側通路（８５）に連通している。第２上部通路（５５）は、第２吸着素子（８２）の上側に形成され、第２吸着素子（８２）の調湿側通路（８５）に連通している。第２下部流路（５６）は、第２吸着素子（８２）の下側に形成され、第２吸着素子（８２）の調湿側通路（８５）に連通している。
【００５２】
中央流路（５７）は、第１吸着素子（８１）と第２吸着素子（８２）との間に形成され、両吸着素子（８１，８２）の冷却側通路（８６）に連通している。この中央流路（５７）には、再生熱交換器（１０２）がほぼ垂直に立った状態で設置されている。この再生熱交換器（１０２）は、中央流路（５７）を流れる空気を冷媒回路の冷媒と熱交換させる。そして、再生熱交換器（１０２）は、凝縮器として機能し、空気を加熱するための加熱器を構成している。
【００５３】
中央流路（５７）と第１下部流路（５４）との間の仕切りには、第１シャッタ（６１）が設けられている。一方、中央流路（５７）と第２下部流路（５６）との間の仕切りには、第２シャッタ（６２）が設けられている。第１シャッタ（６１）と第２シャッタ（６２）とは、何れもが開閉自在に構成されている。
【００５４】
図１に示すように、右側仕切板（２０）には、第１右側開口（２１）、第２右側開口（２２）、第１右上開口（２３）、第１右下開口（２４）、第２右上開口（２５）、及び第２右下開口（２６）が形成されている。これらの開口（２１，２２，…）は、それぞれが開閉シャッタを備えて開閉自在に構成されている。
【００５５】
第１右側開口（２１）は、右側仕切板（２０）における手前側の下部に設けられている。第１右側開口（２１）の開閉シャッタが開いた状態では、第１流路（５１）と右下部流路（６６）とが互いに連通する。第２右側開口（２２）は、右側仕切板（２０）における奥側の下部に設けられている。第２右側開口（２２）の開閉シャッタが開いた状態では、第２流路（５２）と右下部流路（６６）とが互いに連通する。
【００５６】
第１右上開口（２３）は、右側仕切板（２０）のうち第１吸着素子（８１）に隣接する部分の上部に設けられている。第１右上開口（２３）の開閉シャッタが開いた状態では、第１上部流路（５３）と右上部流路（６５）とが互いに連通する。第１右下開口（２４）は、右側仕切板（２０）のうち第１吸着素子（８１）に隣接する部分の下部に設けられている。第１右下開口（２４）の開閉シャッタが開いた状態では、第１下部流路（５４）と右下部流路（６６）とが互いに連通する。
【００５７】
第２右上開口（２５）は、右側仕切板（２０）のうち第２吸着素子（８２）に隣接する部分の上部に設けられている。第２右上開口（２５）の開閉シャッタが開いた状態では、第２上部流路（５５）と右上部流路（６５）とが互いに連通する。第２右下開口（２６）は、右側仕切板（２０）のうち第２吸着素子（８２）に隣接する部分の下部に設けられている。第２右下開口（２６）の開閉シャッタが開いた状態では、第２下部流路（５６）と右下部流路（６６）とが互いに連通する。
【００５８】
左側仕切板（３０）には、第１左側開口（３１）、第２左側開口（３２）、第１左上開口（３３）、第１左下開口（３４）、第２左上開口（３５）、及び第２左下開口（３６）が形成されている。これらの開口（３１，３２，…）は、それぞれが開閉シャッタを備えて開閉自在に構成されている。
【００５９】
第１左側開口（３１）は、左側仕切板（３０）における手前側の下部に設けられている。第１左上開口（３１）の開閉シャッタが開いた状態では、第１流路（５１）と左下部流路（６８）とが互いに連通する。第２左側開口（３２）は、左側仕切板（３０）における奥側の下部に設けられている。第２左側開口（３２）の開閉シャッタが開いた状態では、第２流路（５２）と左下部流路（６８）とが互いに連通する。
【００６０】
第１左上開口（３３）は、左側仕切板（３０）のうち第１吸着素子（８１）に隣接する部分の上部に設けられている。第１左上開口（３３）の開閉シャッタが開いた状態では、第１上部流路（５３）と左上部流路（６７）とが互いに連通する。第１左下開口（３４）は、左側仕切板（３０）のうち第１吸着素子（８１）に隣接する部分の下部に設けられている。第１左下開口（３４）の開閉シャッタが開いた状態では、第１下部流路（５４）と左下部流路（６８）とが互いに連通する。
【００６１】
第２左上開口（３５）は、左側仕切板（３０）のうち第２吸着素子（８２）に隣接する部分の上部に設けられている。第２左上開口（３５）の開閉シャッタが開いた状態では、第２上部流路（５５）と左上部流路（６７）とが互いに連通する。第２左下開口（３６）は、左側仕切板（３０）のうち第２吸着素子（８２）に隣接する部分の下部に設けられている。第２左下開口（３６）の開閉シャッタが開いた状態では、第２下部流路（５６）と左下部流路（６８）とが互いに連通する。
【００６２】
次に、本実施形態に係る外気処理換気装置のドレン水排出構造（１３０）について図７，８，９を参照しながら詳細に説明する。
【００６３】
図７（Ａ），（Ｂ）は、第１熱交換器（１０３）及び第２熱交換器（１０４）近傍のドレン水排出構造（１３０）を示したものである。
【００６４】
第１，２熱交換器（１０３，１０４）の近傍には、空気の冷却に伴って発生する水分等を回収するためのドレンパン（１３１）が設置されている。上記ドレンパン（１３１）は、第１，２熱交換器（１０３，１０４）及び仕切板（１８）の下側に位置し、排気側流路（４１）と給気側流路（４２）に跨って設置されている。このドレンパン（１３１）の上部に位置する仕切板（１８）は、その下側にドレンパン開口部（１３２）が形成されている。このドレンパン開口部（１３２）により、ドレンパン（１３１）内で排気側流路（４１）と給気側流路（４２）とが連通した状態となっている。したがって、第１熱交換器（１０３）及び第２熱交換器（１０４）付近でそれぞれ生じたドレン水を、一つのドレンパン（１３１）で回収することができる。また、ドレンパン（１３１）は、外側が垂直に延びた外縁部より、内側に向かって斜め下方に傾斜しており、その底面には、ドレンパン底面部（１３３）が設けられている。このドレンパン底面部（１３３）にはドレン水を排出するためのドレンポンプ（１３４）が配置されている。このドレンポンプ（１３４）は、ドレンパン（１３１）の水位を検知するレベルスイッチ（１３５）によりＯＮ，ＯＦＦの自動制御が可能に構成されている。
【００６５】
また、ドレンポンプ（１３４）にはドレン水を機外へ排出するためのドレン水排出管（１３６）が接続されている。このドレン水排出管（１３６）は、図８（Ａ）に示すように、機内側配管（１３６ａ）と機外側配管（１３６ｂ）とで構成されている。上記機内側配管（１３６ａ）は、ドレンポンプ（１３４）よりケーシング（１０）の上部側に向かって鉛直方向に延びた後、さらに第１パネル（１１）に向かって水平方向に屈曲している。そして、このドレン水排出管（１３６）の機内側配管（１３６ａ）は、第１パネル（１１）に配置された、例えばソケット（１３７）のような配管接続部材に導入される。このソケット（１３７）は第１パネル（１１）の外側に突出している。そして、このソケット（１３７）には、ケーシング（１０）の外側に延びる機外側配管（１３６ｂ）が接続されている。
【００６６】
上記ドレン水排出管（１３６）の機内側配管（１３６ａ）は、ドレンポンプ（１３４）より鉛直に延びる縦管（１３６ｃ）が設けられ、この縦管（１３６ｃ）には逆止弁（１３８）が垂直に配置されている。この逆止弁（１３８）は、ドレン水の排出流れに対して、ドレン水や空気の逆流を防止することができる。具体的に本実施の形態において、上記逆止弁（１３８）は、ドレン水の鉛直上方への排出流れが可能である一方、鉛直下方への逆流を禁止するように構成されている。
【００６７】
また、上記逆止弁（１３８）からドレン水の排出流れに対して下流側に位置するドレン水排出管（１３６）には、スライムの発生を防ぐための銅管（１３９）が接続されている。この銅管（１３９）は、本実施形態においては、ドレン水排出管（１３６）の機内側配管（１３６ａ）に適用されていが、例えば機外側配管（１３６ｂ）に適用することもできる。
【００６８】
外気処理換気装置の第１パネルに設けられたソケット（１３７）には、上述したように、機外側配管（１３６ｂ）が連結される。この機外側配管（１３６ｂ）は、図９（Ａ）、（Ｂ）に示すように、ビルの天井面などに取り付けられた外気処理換気装置から、梁などを避けるようにして、ドレン集合配管（１５１）まで延びて設けられている。この機外側配管（１３６ｂ）は、例えば、ポンプ（１５０）を配置してドレン水を引き抜けるように構成する、あるいは機外側配管（１３６ｂ）内にドレン水が貯まりにくいように配置し、スライムの発生を抑制することが好ましい。
【００６９】
−運転動作−
上記外気処理換気装置の運転動作について説明する。この外気処理換気装置は、除湿運転と加湿運転とを切り換えて行う。また、この外気処理換気装置は、後述するように、第１動作と第２動作とを交互に繰り返すことによって、除湿運転や加湿運転を行う。
【００７０】
≪除湿運転≫
除湿運転時において、冷媒回路では、再生熱交換器（１０２）が凝縮器となり、第１熱交換器（１０３）が蒸発器となる一方、第２熱交換器（１０４）が休止している。
【００７１】
図１，図２に示すように、除湿運転時において、給気ファン（９５）を駆動すると、室外空気（ＯＡ）が室外側吸引口（１５）を通じてケーシング（１０）内に取り込まれる。この室外空気は第１空気として、右下部流路（６６）へ流入する。一方、排気ファン（９６）を駆動すると、室内空気（ＲＡ）が室内側吸引口（１３）を通じてケーシング（１０）内に取り込まれる。この室内空気は第２空気として、左下部流路（６８）へ流入する。
【００７２】
次に、除湿運転時の第１動作について、図１，図５（Ａ）を参照しながら説明する。この第１動作では、第１吸着素子（８１）についての吸着動作と、第２吸着素子（８２）についての再生動作とが行われる。つまり、第１動作では、第１吸着素子（８１）で空気が減湿されると同時に、第２吸着素子（８２）の吸着材が再生される。
【００７３】
図１に示すように、右側仕切板（２０）では、第１右下開口（２４）と第２右上開口（２５）の開閉シャッタが開口状態であり、残りの開口（２１，２２，２３，２６）の開閉シャッタは閉鎖状態となっている。この状態では、第１右下開口（２４）によって右下部流路（６６）と第１下部流路（５４）とが連通し、第２右上開口（２５）によって第２上部流路（５５）と右上部流路（６５）とが連通している。
【００７４】
左側仕切板（３０）では、第１左側開口（３１）と第１左上開口（３３）の開閉シャッタが開口状態であり、残りの開口（３２，３４，３５，３６）の開閉シャッタが閉鎖状態となっている。この状態では、第１左側開口（３１）によって第１流路（５１）と左下部流路（６８）とが連通し、第１左上開口（３３）によって第１上部流路（５３）と左上部流路（６７）とが連通している。
【００７５】
また、図５（Ａ）に示すように、第１シャッタ（６１）は閉鎖状態となり、第２シャッタ（６２）は開口状態となっており、この状態で中央流路（５７）と第２下部流路（５６）とが連通される。
【００７６】
給気ファン（９５）の駆動により、右下部流路（６６）に流入した第１空気は、その後に第１右下開口（２４）を通って、第１下部流路（５４）へ流入する。一方、排気ファン（９６）の駆動により、左下部流路（６８）へ流入した第２空気は、その後に第１左側開口（３１）を通って、第１流路（５１）へ流入する。
【００７７】
第１下部流路（５４）の第１空気は、第１吸着素子（８１）の調湿側通路（８５）へ流入する。この調湿側通路（８５）を流れる間に、第１空気に含まれる水蒸気が吸着材に吸着される。第１吸着素子（８１）で減湿された第１空気は、第１上部流路（５３）へ流入する。
【００７８】
一方、第１流路（５１）の第２空気は、第１吸着素子（８１）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）を通過する。その際、再生熱交換器（１０２）では、第２空気が冷媒との熱交換によって加熱される。その後、第２空気は、中央流路（５７）から第２下部流路（５６）へ流入する。
【００７９】
第１吸着素子（８１）及び再生熱交換器（１０２）で加熱された第２空気は、第２吸着素子（８２）の調湿側通路（８５）へ導入される。この調湿側通路（８５）では、第２空気によって吸着材が加熱され、吸着材から水蒸気が脱離する。つまり、第２吸着素子（８２）の再生が行われる。吸着材から脱離した水蒸気は、第２空気と共に第２上部流路（５５）へ流入する。
【００８０】
図１に示すように、第１上部流路（５３）へ流入した減湿後の第１空気は、第１左上開口（３３）を通って左上部流路（６７）へ流入し、その後に給気側流路（４２）へ流入する。この第１空気は、給気側流路（４２）を流れる間に第１熱交換器（１０３）を通過し、冷媒との熱交換によって冷却される。その後、減湿及び冷却された第１空気は、給気口（１４）を通って室内へ供給される。
【００８１】
一方、第２上部流路（５５）へ流入した第２空気は、第２右上開口（２５）を通って、右上部流路（６５）へ流入し、その後に排気側流路（４１）へ流入する。この第２空気は、排気側流路（４１）を流れる間に第２熱交換器（１０４）を通過する。その際、第２熱交換器（１０４）は休止しており、第２空気は加熱も冷却もされない。そして、第１吸着素子（８１）の冷却と第２吸着素子（８２）の再生に利用された第２空気は、排気口（１６）を通って室外へ排出される。
【００８２】
次に除湿運転の第２動作について、図２，図５（Ｂ）を参照しながら説明する。この第２動作では、第１動作時とは逆に、第２吸着素子（８２）についての吸着動作と第１吸着素子（８１）についての再生動作とが行われる。つまり、第２動作では、第２吸着素子（８２）で空気が減湿されると同時に、第１吸着素子（８１）の吸着材が再生される。
【００８３】
図２に示すように、右側仕切板（２０）では、第１右上開口（２３）と第２右下開口（２６）の開閉シャッタが開口状態であり、残りの開口（２１，２２，２４，２５）の開閉シャッタは閉鎖状態となっている。この状態では、第１右上開口（２３）によって第１上部流路（５３）と右上部流路（６５）とが連通し、第２右下開口（２６）によって右下部流路（６６）と第２下部流路（５６）とが連通している。
【００８４】
左側仕切板（３０）では、第２左側開口（３２）と第２左上開口（３５）の開閉シャッタが開口状態であり、残りの開口（３１，３３，３４，３６）の開閉シャッタが閉鎖状態となっている。この状態では、第２左側開口（３２）によって左下部流路（６８）と第２流路（５２）とが連通し、第２左上開口（３５）によって第２上部流路（５５）と左上部流路（６７）とが連通している。
【００８５】
また、図５（Ｂ）に示すように、第２シャッタ（６２）は閉鎖状態となり、第１シャッタ（６１）は開口状態となっており、この状態で中央流路（５７）と第１下部流路（５４）とが連通している。
【００８６】
給気ファン（９５）の駆動により、右下部流路（６６）に流入した第１空気は、その後に第２右下開口（２６）を通って、第２下部流路（５６）へ流入する。一方、排気ファン（９６）の駆動により、左下部流路（６８）へ流入した第２空気は、その後に第２左側開口（３２）を通って、第２流路（５２）へ流入する。
【００８７】
第２下部流路（５６）の第１空気は、第２吸着素子（８２）の調湿側通路（８５）へ流入する。この調湿側通路（８５）を流れる間に、第１空気に含まれる水蒸気が吸着材に吸着される。第２吸着素子（８２）で減湿された第１空気は、第２上部流路（５５）へ流入する。
【００８８】
一方、第２流路（５２）の第２空気は、第２吸着素子（８２）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）を通過する。その際、再生熱交換器（１０２）では、第２空気が冷媒との熱交換によって加熱される。その後、第２空気は、中央流路（５７）から第１下部流路（５４）へ流入する。
【００８９】
第２吸着素子（８２）及び再生熱交換器（１０２）で加熱された第２空気は、第１吸着素子（８１）の調湿側通路（８５）へ導入される。この調湿側通路（８５）では、第２空気によって吸着材が加熱され、吸着材から水蒸気が脱離する。つまり、第１吸着素子（８１）の再生が行われる。吸着材から脱離した水蒸気は、第２空気と共に第１上部流路（５３）へ流入する。
【００９０】
図２に示すように、第２上部流路（５５）へ流入した減湿後の第１空気は、第２左上開口（３５）を通って左上部流路（６７）へ流入し、その後に給気側流路（４２）へ流入する。この第１空気は、給気側流路（４２）を流れる間に第１熱交換器（１０３）を通過し、冷媒との熱交換によって冷却される。その後、減湿及び冷却された第１空気は、給気口（１４）を通って室内へ供給される。
【００９１】
上記第１上部流路（５３）へ流入した第２空気は、第１右上開口（２３）を通って、右上部流路（６５）へ流入し、その後に排気側流路（４１）へ流入する。この第２空気は、排気側流路（４１）を流れる間に第２熱交換器（１０４）を通過する。その際、第２熱交換器（１０４）は休止しており、第２空気は加熱も冷却もされない。そして、第２吸着素子（８２）の冷却と第１吸着素子（８１）の再生に利用された第２空気は、排気口（１６）を通って室外へ排出される。
【００９２】
≪加湿運転≫
加湿運転時において、冷媒回路では、再生熱交換器（１０２）が凝縮器となり、第２熱交換器（１０４）が蒸発器となる一方、第１熱交換器（１０３）が休止している。
【００９３】
図３，図４に示すように、加湿運転時において、給気ファン（９５）を駆動すると、室外空気（ＯＡ）が室外側吸引口（１５）を通じてケーシング（１０）内に取り込まれる。この室外空気は第２空気として、右下部流路（６６）へ流入する。一方、排気ファン（９６）を駆動すると、室内空気（ＲＡ）が室内側吸引口（１３）を通じてケーシング（１０）内に取り込まれる。この室内空気は第１空気として、左下部流路（６８）へ流入する。
【００９４】
次に、加湿運転時の第１動作について、図３，図５（Ａ）を参照しながら説明する。この第１動作では、第１吸着素子（８１）についての吸着動作と、第２吸着素子（８２）についての再生動作とが行われる。つまり、第１動作では、第２吸着素子（８２）で空気が加湿され、第１吸着素子（８１）の吸着材が水蒸気を吸着する。
【００９５】
図３に示すように、右側仕切板（２０）では、第１右側開口（２１）と第１右上開口（２３）の開閉シャッタが開口状態であり、残りの開口（２２，２４，２５，２６）の開閉シャッタは閉鎖状態となっている。この状態では、第１右側開口（２１）によって右下部流路（６６）と第１流路（５１）とが連通し、第１右上開口（２３）によって第１上部流路（５３）と右上部流路（６５）とが連通している。
【００９６】
左側仕切板（３０）では、第１左下開口（３４）と第２左上開口（３５）の開閉シャッタが開口状態であり、残りの開口（３１，３２，３３，３６）の開閉シャッタが閉鎖状態となっている。この状態では、第１左下開口（３４）によって左下部流路（６８）と第１下部流路（５４）とが連通し、第２左上開口（３５）によって第２上部流路（５５）と左上部流路（６７）とが連通している。
【００９７】
また、図５（Ａ）に示すように、第１シャッタ（６１）は閉鎖状態となり、第２シャッタ（６２）は開口状態となっており、この状態で中央流路（５７）と第２下部流路（５６）とが連通している。
【００９８】
排気ファン（９６）の駆動により、左下部流路（６８）に流入した第１空気は、その後に第１左下開口（３４）を通って、第１下部流路（５４）へ流入する。一方、給気ファン（９５）の駆動により、右下部流路（６６）へ流入した第２空気は、その後に第１右側開口（２１）を通って、第１流路（５１）へ流入する。
【００９９】
第１下部流路（５４）の第１空気は、第１吸着素子（８１）の調湿側通路（８５）へ流入する。この調湿側通路（８５）を流れる間に、第１空気に含まれる水蒸気が吸着材に吸着される。第１吸着素子（８１）で水分を奪われた第１空気は、第１上部流路（５３）へ流入する。
【０１００】
一方、第１流路（５１）の第２空気は、第１吸着素子（８１）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）を通過する。その際、再生熱交換器（１０２）では、第２空気が冷媒との熱交換によって加熱される。その後、第２空気は、中央流路（５７）から第２下部流路（５６）へ流入する。
【０１０１】
第１吸着素子（８１）及び再生熱交換器（１０２）で加熱された第２空気は、第２吸着素子（８２）の調湿側通路（８５）へ導入される。この調湿側通路（８５）では、第２空気によって吸着材が加熱され、吸着材から水蒸気が脱離する。つまり、第２吸着素子（８２）の再生が行われる。吸着材から脱離した水蒸気が第２空気に付与され、第２空気が加湿される。第２吸着素子（８２）で加湿された第２空気は、その後に第２上部流路（５５）へ流入する。
【０１０２】
図３に示すように、第２上部流路（５５）へ流入した第２空気は、第２左上開口（３５）を通って左上部流路（６７）へ流入し、その後に給気側流路（４２）へ流入する。この第２空気は、給気側流路（４２）を流れる間に第１熱交換器（１０３）を通過する。その際、第２熱交換器（１０３）は休止しており、第２空気は加熱も冷却もされない。そして、加湿された第２空気は、給気口（１４）を通って室内へ供給される。
【０１０３】
一方、第１上部流路（５３）へ流入した第１空気は、第１右上開口（２３）を通って、右上部流路（６５）へ流入し、その後に排気側流路（４１）へ流入する。この第１空気は、排気側流路（４１）を流れる間に第２熱交換器（１０４）を通過し、冷媒との熱交換によって冷却される。その後、水分と熱を奪われた第１空気は、排気口（１６）を通って室外へ排出される。
【０１０４】
次に加湿運転の第２動作について、図４，図５（Ｂ）を参照しながら説明する。この第２動作では、第１動作時とは逆に、第２吸着素子（８２）についての吸着動作と第１吸着素子（８１）についての再生動作とが行われる。つまり、第２動作では、第１吸着素子（８１）で空気が加湿され、第２吸着素子（８２）の吸着材が水蒸気を吸着する。
【０１０５】
図４に示すように、右側仕切板（２０）では、第２右側開口（２２）と第２右上開口（２５）の開閉シャッタが開口状態であり、残りの開口（２１，２３，２４，２６）の開閉シャッタは閉鎖状態となっている。この状態では、第２右側開口（２２）によって右下部流路（６６）と第２流路（５２）とが連通され、第２右上開口（２５）によって第２上部流路（５５）右上部流路（６５）とが連通される。
【０１０６】
左側仕切板（３０）では、第１左上開口（３３）と第２左下開口（３６）の開閉シャッタが開口状態であり、残りの開口（３１，３２，３４，３５）の開閉シャッタが閉鎖状態となっている。この状態では、第１左上開口（３３）によって第１上部流路（５３）と左上部流路（６７）とが連通し、第２左下開口（３６）によって左下部流路（６８）と第２下部流路（５６）とが連通している。
【０１０７】
また、図５（Ｂ）に示すように、第２シャッタ（６２）は閉鎖状態となり、第１シャッタ（６１）は開口状態となっており、この状態で中央流路（５７）と第１下部流路（５４）とが連通している。
【０１０８】
排気ファン（９６）の駆動により、左下部流路（６８）に流入した第１空気は、その後に第２左下開口（３６）を通って、第２下部流路（５６）へ流入する。一方、給気ファン（９５）の駆動により、右下部流路（６６）へ流入した第２空気は、その後に第２右側開口（２２）を通って、第２流路（５２）へ流入する。
【０１０９】
第２下部流路（５６）の第１空気は、第２吸着素子（８２）の調湿側通路（８５）へ流入する。この調湿側通路（８５）を流れる間に、第１空気に含まれる水蒸気が吸着材に吸着される。第２吸着素子（８２）で水分を奪われた第１空気は、第２上部流路（５５）へ流入する。
【０１１０】
一方、第２流路（５２）の第２空気は、第２吸着素子（８２）の冷却側通路（８６）へ流入する。この冷却側通路（８６）を流れる間に、第２空気は、調湿側通路（８５）で水蒸気が吸着材に吸着された際に生じた吸着熱を吸熱する。吸着熱を奪った第２空気は、中央通路（５７）へ流入して再生熱交換器（１０２）を通過する。その際、再生熱交換器（１０２）では、第２空気が冷媒との熱交換によって加熱される。その後、第２空気は、中央流路（５７）から第１下部流路（５４）へ流入する。
【０１１１】
第２吸着素子（８２）及び再生熱交換器（１０２）で加熱された第２空気は、第１吸着素子（８１）の調湿側通路（８５）へ導入される。この調湿側通路（８５）では、第２空気によって吸着材が加熱され、吸着材から水蒸気が脱離する。つまり、第１吸着素子（８１）の再生が行われる。そして、吸着材から脱離した水蒸気が第２空気に付与され、第２空気が加湿される。第１吸着素子（８１）で加湿された第２空気は、その後に第１上部流路（５３）へ流入する。
【０１１２】
図４に示すように、第１上部流路（５３）へ流入した第２空気は、第１左上開口（３３）を通って左上部流路（６７）へ流入し、その後に給気側流路（４２）へ流入する。この第２空気は、給気側流路（４２）を流れる間に第１熱交換器（１０３）を通過する。その際、第２熱交換器（１０４）は休止しており、第２空気は加熱も冷却もされない。そして、加湿された第２空気は、給気口（１４）を通って室内へ供給される。
【０１１３】
一方、第２上部流路（５５）へ流入した第１空気は、第２右上開口（２５）を通って、右上部流路（６５）へ流入し、その後に排気側流路（４１）へ流入する。この第１空気は、排気側流路（４１）を流れる間に第２熱交換器（１０４）を通過し、冷媒との熱交換によって冷却される。その後、水分と熱を奪われた第１空気は、排気口（１６）を通って室外へ排出される。
【０１１４】
≪ドレン水の排出動作≫
次に、上記外気処理換気装置の運転により生じるドレン水の排出動作について図７、図８を参照しながら詳細に説明する。
【０１１５】
前述の外気処理換気装置の運転において、第１熱交換機（１０３）及び第２熱交換機（１０４）の稼働時には、上記第１，２熱交換機（１０３，１０４）の近傍で空気の冷却に伴って水分が発生しやすい。具体的に、上記第１熱交換機（１０３）は、除湿運転時に稼働し、上記第２熱交換機（１０４）は、加湿運転時に稼働するが、この際、それぞれの熱交換器（１０３，１０４）において、水分が発生しやすい。
【０１１６】
このように発生した水分は、ドレン水として、それぞれの熱交換器（１０３，１０４）の下部に位置するドレンパン（１３１）に回収される。そして、外気処理換気装置の運転に伴い、ドレンパン（１３１）に回収されたドレン水の水位がある程度のレベルに達すると、ドレンパン（１３１）内に設けられたレベルスイッチ（１３５）がドレン水の上昇を検知する。そして、ドレンパン底面部（１３３）に設置されたドレンポンプ（１３４）が、上記レベルスイッチ（１３５）の信号を受けて、運転を開始し、ドレン水の排出が行われる。
【０１１７】
このドレン水は、ドレンポンプ（１３４）に接続されたドレン水排出管（１３６）を介して排出される。ドレンポンプ（１３４）の運転により、ドレン水は機内側配管（１３６ａ）の縦管（１３６ｃ）部を通過し、鉛直上方に移送される。さらに、ドレン水は上記縦管（１３６ｃ）に設けられた逆止弁（１３８）に移送される。この逆止弁（１３８）は、ドレン水の排出方向に対して流通が可能であるため、ドレン水は、この逆止弁（１３８）を通過する。一方、このドレン水の排出流れに対して、逆止弁（１３８）は、ドレン水の逆流を禁止している。
【０１１８】
ここで、上記ドレン水排出構造（１３０）のドレンパン（１３１）は、給気ファン（９５）や排気ファン（９６）の近傍に配置されているため、ドレンパン（１３１）付近が上記ファン（９５，９６）により負圧になりやすい。このため、ドレン水排出構造（１３０）において、ドレン水排出管（１３６）を介して、機外から機内へ空気が逆流する可能性がある。
【０１１９】
しかし、本実施形態１において、逆止弁（１３８）が、ドレン水の排出流れに対して、流体の逆流を禁止しているため、ドレン水の逆流は無論のこと、ドレンパン（１３１）付近が負圧になった場合にも、ドレン水排出管（１３６）を介して、機外から機内へ空気が流入することは禁止される。
【０１２０】
逆止弁（１３８）を通過した後のドレン水は、機内側配管（１３６ａ）に沿って、水平方向に移送される。そして、このドレン水は第１パネル（１１）に設けられたソケット（１３７）を介して、機外側配管（１３６ｂ）へ導入される。この際、逆止弁（１３８）より下流側の機内側配管（１３６ａ）には、スライム発生抑制手段として、銅管（１３９）が接続されている。したがって、ドレン水は、この銅管（１３９）内を通過して移送される。この際、ドレン水と銅管（１３９）の内周部とが接触する部分において、銅イオンが析出する。そして、この銅イオンがスライムの発生要因である菌類や藻類の繁殖を抑制する。
【０１２１】
ソケット（１３７）より機外側配管（１３６ｂ）に移送されたドレン水は、例えばビルなどのドレン集合配管（１５１）へ排出される。
【０１２２】
−実施形態１の効果−
本実施形態１のドレン水排出構造（１３０）によれば、以下のような効果が発揮される。
【０１２３】
本実施形態１では、給気ファン（９５）や排出ファン（９６）の近傍に、熱交換器（１０３，１０４）で発生した水分を回収するためのドレンパン（１３１）が設置されているため、ドレンパン（１３１）付近が上記ファン（９５，９６）により負圧になりやすい。このため、ドレン水排出構造（１３０）において、ドレン水排出管（１３６）を介して、機外から機内へ空気が逆流する可能性がある。しかしながら、本実施形態１のドレン水排出構造（１３０）において、ドレン水排出管（１３６）には、機外から機内への流れを禁止するための逆止弁（１３８）が設けられている。このため、機外から機内への空気の流れは上記逆止弁（１３８）により禁止され、機内への空気の混入を防ぐことができる。
【０１２４】
また、上記逆止弁（１３８）はドレン水排出管（１３６）の機内側配管（１３６ａ）に設けられている。このため、空気の逆流を防ぐ手段を、機内側のドレン水排出構造（１３０）にユニット化することができる。
【０１２５】
さらに、上記逆止弁（１３８）は鉛直方向に延びる機内側の縦管（１３６ｃ）に設けられている。上記逆止弁（１３８）は、例えば、水平方向に延びる横管に取り付けられた場合、逆止弁（１３８）の弁体が弁座に対してわずかにずれる可能性がある。この場合、逆止弁（１３８）内に隙間が生じ、逆止弁（１３８）の所定の逆流防止効果が得られにくいことがある。一方、本実施形態１において、逆止弁（１３８）を縦管（１３６ｃ）に設け、鉛直上方の流れに対して、逆流を禁止するように配置したため、より確実に流体の逆流を禁止することができる。したがって、機外から機内への空気の漏れ込みも、より確実に防止することができる。
【０１２６】
また、上記逆止弁（１３８）より下流側のドレン水排出管（１３６）には、スライム発生抑制手段として、ドレン水排出管（１３６）に銅管（１３９）を適用している。このため、ドレン水がこの銅管（１３９）の内部を通過すると、銅管（１３９）内に銅イオンが析出する。この銅イオンは、一般的に菌類や藻類などの増殖を抑制する効果がある。よって、特にドレン水排出管（１３６）内にドレン水が残留した状態において、菌類や藻類の発生を抑制することができ、スライムの発生を防止することができる。
【０１２７】
【発明の実施の形態２】
上記実施形態１は、吸着素子と冷媒回路とを有する外気処理換気装置において、本発明によるドレン水排水構造（１３０）を適用したものであるが、上記構成の外気処理換気装置以外にも、空気熱交換器（１２７）と加湿器（１２８）とを有する外気処理換気装置において、上記ドレン水排出構造（１３０）を適用することができる。
【０１２８】
図１０は、空気熱交換器（１２７）と加湿器（１２８）とを有する外気処理換気装置の概略構成図である。この外気処理換気装置は、一方のケーシング側面に、室外側吸引口（１２１）、排気口（１２２）が設けられており、他方のケーシング側面には、室内側吸引口（１２３）と、給気口（１２４）とが設けられている。また、このケーシング内には、室外空気を吸引して室内へ供給するための給気ファン（１２５）と、室内空気を吸引して室外へ排出するための排気ファン（１２６）とが設置されている。そして、上記給気ファン（１２５）で吸引された室外空気と、上記排気ファン（１２６）とで吸引された室内空気は、ケーシング内の全熱交換器（空気熱交換器）（１２７）により熱交換される。さらに、給気ファン（１２５）の近傍には、加湿器（１２８）が設置されており、熱交換された後の室外空気は、上記加湿器（１２８）により加湿された後に、室内へ供給される。
【０１２９】
上記外気処理換気装置において、特に加湿器（１２８）近傍では、ドレン水が発生する可能性があり、この水分を機外へ排出する必要がある。このため、上記加湿器（１２８）の近傍に、機内から機外へドレン水を排出するためのドレン水排出構造を設ける必要がある。この際、加湿器（１２８）近傍に設けたドレン水排出構造は、給気ファン（１２５）に近い位置にあるため、ドレンパン近傍が負圧条件になりやすく、その場合、機外から機内への空気の漏れ込みが生じ、この外気処理換気装置の所定の性能が損なわれる可能性がある。このため本実施形態２においても、この外気処理換気装置に、本実施形態１と同様のドレン水排出構造（１３０）を適用している。このドレン水排出構造（１３０）において、ドレン水排出管（１３６）に設けた逆止弁（１３８）により機外から機内への空気の漏れ込みを禁止することで、機内への空気の混入を防ぐことができる。さらに、本実施形態１で述べたスライム発生抑制手段により、ドレン水排出管（１３６）内でのスライムの発生も防ぐことができる。よって、スライムの発生などによりドレン水排出管内に詰まりが生じたり、悪臭が発生することが抑制される。
【０１３０】
【発明のその他の実施の形態】
本発明は、上記ドレン水排出構造（１３０）の実施形態について、以下のような構成としてもよい。
【０１３１】
例えば、上記ドレン水排出構造（１３０）の実施形態では、逆止弁（１３８）はドレン水排出管（１３６）の機内側に配置しているが、図８（Ｂ）に示すように、この逆止弁（１３８）はドレン水排出管（１３６）の機外側に配置してもよい。この場合、スライム発生抑制手段である銅管（１３９）も、機外側配管（１３６ｂ）に接続される。この配置では、ドレン水がドレン水排出管（１３６）に残留する位置は、この機外側に設けられた逆止弁（１３８）より下流の配管となるから、逆止弁（１３８）を機内に設けた場合と比較して、ドレン水排出管（１３６）内に残留するドレン水の量は少なくなる。菌類や藻類の増殖により生じるスライムは、ドレン水排出管（１３６）内にドレン水が残留することによって促進されやすいから、このようにドレン水の残留量が少なくなれば、スライムの発生も抑制される。さらに、逆止弁（１３８）を機外側へ設けることにより、逆止弁（１３８）付近のメンテナンスも容易となる。
【０１３２】
また、上記ドレン水排出構造（１３０）の実施形態では、逆止弁（１３８）を鉛直方向に延びる縦管（１３６ｃ）に設けている。しかし、上記逆止弁（１３８）を、機内の構成や外気処理換気装置の取り付け位置に応じて、機外または機内に、例えば水平方向に設けるというように自由に配置できる。
【０１３３】
また、上記ドレン水排出構造（１３０）の実施形態では、スライム発生抑制手段として、銅管（１３９）をドレン水排出管（１３６）の機内側配管（１３６ａ）に接続して用いている。しかし、この構造以外に、ドレン水排出管（１３６）に、銅管（１３９）を挿入する構造としてもよい。この場合、ドレン水排出管（１３６）の内周と銅管（１３９）との間に環状空間が形成されるため、ドレン水は、この環状空間と、銅管（１３９）の内部との双方を流れる。このため、ドレン水と銅管（１３９）との接触面積が大きくなり、銅イオンの析出量も増大する。したがって、スライムの発生抑制効果を高めることができる。
【０１３４】
また、ドレン水排出管（１３６）に銅管（１３９）を挿入する場合、この銅管（１３９）をドレン水排出管（１３６）に密着状態で嵌合するように挿入してもよい。この場合、ドレン水は銅管（１３９）の内部のみを通過することになり、この銅管（１３９）の内部で銅イオンが析出し、スライムの発生が抑制される。
【０１３５】
さらに、ドレン水排出管（１３６）に挿入する銅管（１３９）を異形管（１４１）で構成することもできる。この異形管（１４１）として、例えば、銅管（１３９）に図１１（Ａ），（Ｂ）に示すようなスリット（１４０）を設けたものや、図１１（Ｃ）に示すように花形状ないし、星形状のもの、あるいは銅管（１３９）内に溝切り加工を施したものなどがドレン水排出管（１３６）に挿入される。この場合、ドレン水と銅管（１３９）との接触面積はさらに大きくなるため、銅イオンの析出量をさらに増大させることができる。したがって、スライムの発生抑制効果をさらに高めることができる。
【０１３６】
ただし、ドレン水排出管（１３６）に挿入する異形管（１４１）は、スリット加工したもの、花形状ないし星形状をしたもの、溝切り加工したものなどに限定されるのではなく、これ以外の加工もしくは形状により、銅管（１３９）とドレン水との接触面積が大きくなるように上記異形管（１４１）が構成されていればよい。
【０１３７】
また、実施形態２における外気処理換気装置に備えた空気熱交換器（１２７）は、熱及び水分の交換を行う全熱交換器としているが、この空気熱交換器（１２７）は、熱のみの交換を行う顕熱交換器であってもよい。
【０１３８】
【発明の効果】
請求項１に記載の発明によれば、吸着素子と冷媒回路とを有する外気処理換気装置のドレン水排出構造（１３０）において、ドレン水排出管（１３６）に機外から機内へ向かう流体の流れを禁止するための逆止弁（１３８）を設けている。この構成により、ドレンパン（１３１）付近が負圧条件となった場合にも、機外から機内への空気の流入は、上記逆止弁（１３８）により禁止される。このため、機内への空気の混入を確実に防ぐことができる。よって、吸着素子と冷媒回路とを有する外気処理換気装置の所定の性能が損なわれずに、安定した処理性能を得ることができる。
【０１３９】
請求項２に記載の発明によれば、空気熱交換器（１２７）と加湿器（１２８）とを有する外気処理換気装置のドレン水排出構造（１３０）において、ドレン水排出管（１３６）に機外から機内へ向かう流体の流れを禁止するための逆止弁（１３８）を設けている。この構成により、加湿器（１２８）近傍のドレンパン（１２９）付近が負圧条件となった場合にも、機外から機内への空気の流入は、上記逆止弁（１３８）により禁止される。このため、機内への空気の混入を防ぐことができる。よって、空気熱交換器（１２７）と加湿器（１２８）とを有する外気処理換気装置の所定の性能が損なわれずに、安定した処理性能を得ることができる。
【０１４０】
請求項３に記載の発明によれば、逆止弁（１３８）をドレン水排出管（１３６）の機内側配管（１３６ａ）に設けている。この構成により、機外から機内への空気の漏れ込みを防ぐためのドレン水排出構造（１３０）を外気処理換気装置内にコンパクトにユニット化することができる。
【０１４１】
請求項４に記載の発明によれば、逆止弁（１３８）をドレン水排出管（１３６）の機外側配管（１３６ｂ）に設けている。この構成により、ドレン水排出管（１３６）に残留するドレン水の水量は少なくなる。よって、スライムの発生を低減することができ、ドレン水排出管（１３６）の詰まりや悪臭の発生を抑制することができる。また、逆止弁（１３８）は機外に設けられているため、逆止弁（１３８）付近のメンテナンスが容易になるとともに、外気処理換気装置の設置場所に応じて、上記逆止弁（１３８）を自由に取り付けることが可能となる。
【０１４２】
請求項５に記載の発明によれば、逆止弁（１３８）を、ドレン水排出管（１３６）が鉛直方向に延びる縦管（１３６ｃ）に設けている。この構成により、例えば水平方向の流れに対して、逆流防止効果が低い逆止弁（１３８）は、鉛直方向の流れに対して逆流を禁止するように配置される。したがって、逆止弁（１３８）は下方から上方への鉛直流れに対する逆流をより確実に禁止することができる。このため、機外から機内への空気の混入もより確実に防ぐことができる。
【０１４３】
請求項６に記載の発明によれば、ドレン水排出管（１３６）において、逆止弁（１３８）が設けられた位置から下流側に、スライム発生抑制手段を設けている。この下流配管内のドレン水は、逆止弁（１３８）により逆流が禁止されているため、配管内に残留しやすく、この下流配管内でスライムが発生しやすい。これに対して上記構成では、この下流配管にスライム発生抑制手段を設けることとしたから、スライムの発生は効果的に抑制され、配管の詰まりなどを防ぐことができ、メンテナンスの頻度も減少する。
【０１４４】
請求項７に記載の発明によれば、スライム発生抑制手段として、下流配管を銅管（１３９）で構成している。この構成により、銅管（１３９）内のドレン水と銅管（１３９）内周部が接触した際に、銅イオンが生じる。そして、この銅イオンがスライムの発生原因である菌類や藻類の増殖を抑制する。したがって、スライムの発生も抑制され、配管の詰まりや悪臭の発生は低減される。
【０１４５】
請求項８に記載の発明によれば、スライム発生抑制手段として、下流配管に銅管（１３９）を挿入している。この構成により、下流配管内に挿入された銅管（１３９）の外周及び内部に接触したドレン水から銅イオンが析出する。そして、この銅イオンにより、スライムの発生が抑制される。この構成では、ドレン水と銅管（１３９）との接触面積がより大きくなるため、銅イオンの析出量も増量し、スライムの発生抑制効果が向上する。
【０１４６】
請求項９に記載の発明によれば、スライム発生抑制手段である銅管（１３９）を異形管（１４１）とし、この異形管（１４１）を下流配管に挿入している。したがって、下流配管内のドレン水と銅管（１３９）との接触面積はより大きくなり、銅イオンの析出量もさらに増量する。したがって、スライム発生抑制効果をより高めることができ、配管の詰まりや悪臭の発生をさらに低減することができる。
【図面の簡単な説明】
【図１】実施形態１に係る外気処理換気装置の構成及び除湿運転時の第１動作における空気の流れを示す概略構成図である。図１（Ａ）、図１（Ｂ）、図１（Ｃ）は、それぞれ、外気処理換気装置の上面図、左側面図、右側面図を示すものである。
【図２】実施形態１に係る外気処理換気装置の構成及び除湿運転時の第２動作における空気の流れを示す概略構成図である。図２（Ａ）、図２（Ｂ）、図２（Ｃ）は、それぞれ、外気処理換気装置の上面図、左側面図、右側面図を示すものである。
【図３】実施形態１に係る外気処理換気装置の構成及び加湿運転時の第１動作における空気の流れを示す概略構成図である。図３（Ａ）、図３（Ｂ）、図３（Ｃ）は、それぞれ、外気処理換気装置の上面図、左側面図、右側面図を示すものである。
【図４】実施形態１に係る外気処理換気装置の構成及び加湿運転時の第２動作における空気の流れを示す概略構成図である。図４（Ａ）、図４（Ｂ）、図４（Ｃ）は、それぞれ、外気処理換気装置の上面図、左側面図、右側面図を示すものである。
【図５】実施形態１に係る外気処理換気装置の要部拡大図である。
【図６】実施形態１に係る外気処理換気装置の吸着素子の構成を示す概略斜視図である。
【図７】図７（Ａ）は、実施形態に係る外気処理換気装置のドレン水排出構造を示す概略平面図、図７（Ｂ）は、ドレン水排出構造の概略正面図である。
【図８】図８（Ａ）は、実施形態に係る外気処理換気装置のドレン水排出構造の概略構成図、図８（Ｂ）は、その他の実施形態に係る外気処理換気装置のドレン水排出構造の概略構成図である。
【図９】図９（Ａ）、（Ｂ）は、ドレン水排出構造の設置例を示す概略側面図である。
【図１０】実施形態２に係る外気処理換気装置の概略構成図である。
【図１１】図１１（Ａ）、（Ｂ）は、ドレン水排出管に挿入された異形管の第１の形状例を示す概略側面図であり、図１１（Ｃ）は、ドレン水排出管に挿入された異形管の第２の形状例を示す水平断面図である。
【符号の説明】
（１３０）    ドレン水排出構造
（１３１）    ドレンパン
（１３４）    ドレンポンプ
（１３６）    ドレン水排出管
（１３８）    逆止弁
（１３９）    銅管
（１４１）    異形管
【図１】
2005003291.tif 000003
【図２】
2005003291.tif 000004
【図３】
2005003291.tif 000005
【図４】
2005003291.tif 000006
【図５】
2005003291.tif 000007
【図６】
2005003291.tif 000008
【図７】
2005003291.tif 000009
【図８】
2005003291.tif 000010
【図９】
2005003291.tif 000011
【図１０】
2005003291.tif 000012
【図１１】
2005003291.tif 000013